(57)【特許請求の範囲】
【請求項１】
入出金口と紙幣を収納する複数の紙幣収納庫とを結ぶ紙幣搬送路を備え、入出金口に投入された紙幣を前記紙幣搬送路で搬送して紙幣収納庫に収納する入金処理および紙幣収納庫に収納された紙幣を前記紙幣搬送路で入出金口へ搬送する出金処理を行う紙幣処理装置において、
前記紙幣搬送路で搬送される紙幣の詰まりを検知する紙幣詰まり検知手段と、
前記紙幣詰まり検知手段で検知した紙幣詰まりの発生原因を除去する自動復旧手段と、
前記紙幣搬送路に形成された複数の分岐に分岐路を介して接続された複数の紙幣収納庫と、
縮退設定情報として前記紙幣搬送路の機能縮退時の出金処理または入出金処理の許可設定を行う縮退設定手段とを備え、
前記紙幣搬送路の分岐間で発生した紙幣詰まりの発生原因を前記自動復旧手段で除去できない場合、前記縮退設定情報に基づいて前記紙幣詰まりが発生した分岐間を通過する入金処理および出金処理の実施を制限する制御部を設け、
前記制御部は、前記紙幣搬送路の分岐間で発生した紙幣詰まりの発生原因を前記自動復旧手段で除去できない場合、前記紙幣詰まりが発生した箇所と前記入出金口との間の前記分岐に接続された前記紙幣収納庫からの出金処理の実施を許可し、入金処理の実施を制限することを特徴とする紙幣処理装置。
【請求項２】
入出金口と紙幣を収納する複数の紙幣収納庫とを結ぶ紙幣搬送路を備え、入出金口に投入された紙幣を前記紙幣搬送路で搬送して紙幣収納庫に収納する入金処理および紙幣収納庫に収納された紙幣を前記紙幣搬送路で入出金口へ搬送する出金処理を行う紙幣処理装置において、
前記紙幣搬送路で搬送される紙幣の詰まりを検知する紙幣詰まり検知手段と、
前記紙幣詰まり検知手段で検知した紙幣詰まりの発生原因を除去する自動復旧手段と、
前記紙幣搬送路に形成された複数の分岐に分岐路を介して接続された複数の紙幣収納庫と、
縮退設定情報として前記紙幣搬送路の機能縮退時の出金処理または入出金処理の許可設定を行う縮退設定手段とを備え、
前記紙幣搬送路の分岐間で発生した紙幣詰まりの発生原因を前記自動復旧手段で除去できない場合、前記縮退設定情報に基づいて前記紙幣詰まりが発生した分岐間を通過する入金処理および出金処理の実施を制限する制御部を設け、
前記制御部は、前記紙幣搬送路の分岐間で発生した紙幣詰まりの発生原因を前記自動復旧手段で除去できない場合、前記紙幣詰まりが発生した箇所と前記入出金口との間の前記分岐に接続された前記紙幣収納庫のうち、一の前記紙幣収納庫からの出金処理の実施を制限するとともに該紙幣収納庫への入金処理の実施を許可し、他の前記紙幣収納庫での出金処理および入金処理の実施を許可することを特徴とする紙幣処理装置。
【発明の詳細な説明】
【技術分野】
【０００１】
本発明は、現金自動預払機や自動券売機等の自動取引装置に搭載され、紙幣の入出金処理を行う紙幣処理装置に関する。
【背景技術】
【０００２】
従来の紙幣処理装置は、紙幣の入出金処理等の動作中に機器の異常や紙幣の詰まり等の障害が発生した場合、その障害の種別を判定した後、自動的に除去可能な障害原因を除去するとともに、除去不可能な障害原因となった機能を縮退して動作可能な範囲で動作を再開するようにしているが、紙幣の搬送路で紙幣の詰まりが発生し、その発生原因が除去できないとき、装置全体が動作できないものとして装置全体の稼動を休止するようにしている（例えば、特許文献１参照）。
【先行技術文献】
【特許文献】
【０００３】
【特許文献１】特開平５−７３６０２号公報（段落「００１７」〜段落「００２１」、図６）
【発明の概要】
【発明が解決しようとする課題】
【０００４】
しかしながら、上述した従来の技術においては、紙幣の搬送路で紙幣の詰まりが発生し、その発生原因が除去できない場合、装置全体が動作できないものとして装置全体の稼動を休止するようにしていたため、保守員や係員が介入して詰まった紙幣の除去や紙幣詰まりの原因を除去して装置全体を復旧させるまでの間は装置を稼動させることができないという問題がある。
【０００５】
特に、近年においては金融機関等の店舗外に設置される無人機が多くなり、保守員等が装置の設置場所に到着するまでに長時間を要することから装置の休止時間を長くしてしまい、装置の稼働率を低下させてしまうという問題がある。
本発明は、このような問題を解決することを課題とし、紙幣の搬送路で発生原因が除去できない紙幣の詰まりが発生した場合であっても装置の稼働率の低下を抑制することを目的とする。
【課題を解決するための手段】
【０００６】
そのため、本発明は、入出金口と紙幣を収納する複数の紙幣収納庫とを結ぶ紙幣搬送路を備え、入出金口に投入された紙幣を前記紙幣搬送路で搬送して紙幣収納庫に収納する入金処理および紙幣収納庫に収納された紙幣を前記紙幣搬送路で入出金口へ搬送する出金処理を行う紙幣処理装置において、前記紙幣搬送路で搬送される紙幣の詰まりを検知する紙幣詰まり検知手段と、前記紙幣詰まり検知手段で検知した紙幣詰まりの発生原因を除去する自動復旧手段と、前記紙幣搬送路に形成された複数の分岐に分岐路を介して接続された複数の紙幣収納庫と、縮退設定情報として前記紙幣搬送路の機能縮退時の出金処理または入出金処理の許可設定を行う縮退設定手段とを備え、前記紙幣搬送路の分岐間で発生した紙幣詰まりの発生原因を前記自動復旧手段で除去できない場合、前記縮退設定情報に基づいて前記紙幣詰まりが発生した分岐間を通過する入金処理および出金処理の実施を制限する制御部を設け、前記制御部は、前記紙幣搬送路の分岐間で発生した紙幣詰まりの発生原因を前記自動復旧手段で除去できない場合、前記紙幣詰まりが発生した箇所と前記入出金口との間の前記分岐に接続された前記紙幣収納庫からの出金処理の実施を許可し、入金処理の実施を制限することを特徴とする。
【発明の効果】
【０００７】
このようにした本発明は、紙幣の搬送路で発生原因が除去できない紙幣の詰まりが発生した場合であっても装置の稼働率の低下を抑制することができるという効果が得られる。
【図面の簡単な説明】
【０００８】
【図１】第１の実施例における紙幣処理装置の制御構成を示すブロック図
【図２】第１の実施例における紙幣処理装置の構成を示す側面説明図
【図３】第１の実施例における縮退処理を示すフローチャート
【図４】第２の実施例における紙幣処理装置の制御構成を示すブロック図
【図５】第２の実施例における縮退情報設定処理を示すフローチャート
【図６】第２の実施例における縮退処理を示すフローチャート
【発明を実施するための形態】
【０００９】
以下、図面を参照して本発明による紙幣処理装置の実施例を説明する。
【実施例１】
【００１０】
図１は第１の実施例における紙幣処理装置の制御構成を示すブロック図、図２は第１の実施例における紙幣処理装置の構成を示す側面説明図である。
図１および図２において、紙幣処理装置１は、入出金口部２１と、搬送部２２と、鑑別部２３と、一時保留部２４と、紙幣カセット部２５（２５ａ、２５ｂ、２５ｃ、２５ｄ）と、リジェクト紙幣収納部２６と、記憶部２７と、制御部２８とからなり、現金自動預払機や自動券売機等の自動取引装置に搭載され、紙幣の入金処理、出金処理等を行うものである。
【００１１】
入金処理とは、紙幣処理装置１の紙幣受け渡し口である紙幣入金部としての入出金口部２１から投入された紙幣を繰出して計数等し、紙幣収納庫としての紙幣カセット部２５へ搬送して収納する処理であり、出金処理とは、紙幣収納庫としての紙幣カセット部２５に収納されている紙幣を繰出して計数等し、入出金口部２１へ搬送して顧客に払い出す処理である。
【００１２】
入出金口部２１は、顧客の操作により投入された入金紙幣を受け入れて集積し、また、顧客へ出金する紙幣または入金紙幣のうち異常紙幣と鑑別された紙幣等の返却紙幣を集積し、顧客との間で紙幣の受け渡しを行う部位である。投入された紙幣は、分離ローラ等の分離機構（分離手段）で１枚ずつ分離して紙幣搬送路へ繰り出すことができ、また、紙幣搬送路で搬送された出金される紙幣や返却紙幣を集積ローラ等の集積機構（集積手段）で集積することができる。
【００１３】
搬送部２２は、ベルト対またはローラ対で紙幣の表裏両面を挟持し、搬送する紙幣の搬送速度を任意に設定可能なモータ等の駆動手段により図２に示す紙幣搬送路２２ａ、２２ｂ、２２ｃ、２２ｄ、２２ｅ、２２ｆ、２２ｇ、２２ｈ、２２ｉを個別に制御し、紙幣を搬送する動作を行う。
【００１４】
紙幣搬送路２２ａは入出金口部２１と鑑別部２３とを結び、紙幣搬送路２２ｂは鑑別部２３と入出金口部２１とを結び、紙幣搬送路２２ｃは紙幣搬送路２２ｂに設けられた分岐と一時保留部２４とを結び、紙幣搬送路２２ｄは紙幣搬送路２２ｃに設けられた分岐とリジェクト紙幣収納部２６とを結び、紙幣搬送路２２ｅは鑑別部２３と紙幣カセット部（Ａ）２５ａへの分岐２２０ａとを結び、紙幣搬送路２２ｆは紙幣カセット部（Ａ）２５ａへの分岐２２０ａと紙幣カセット部（Ｂ）２５ｂへの分岐２２０ｂとを結び、紙幣搬送路２２ｇは紙幣カセット部（Ｂ）２５ｂへの分岐２２０ｂと紙幣カセット部（Ｃ）２５ｃへの分岐２２０ｃとを結び、紙幣搬送路２２ｈは紙幣カセット部（Ｃ）２５ｃへの分岐２２０ｃと紙幣カセット部（Ｄ）２５ｄへの分岐２２０ｄとを結び、紙幣搬送路２２ｉは紙幣搬送路２２ｈに設けられた分岐とリジェクト紙幣収納部２６とを結んでいる。
【００１５】
これら紙幣搬送路２２ａ、２２ｂ、２２ｃ、２２ｄ、２２ｅ、２２ｉには、紙幣の搬送状態を監視する紙幣詰まり検知手段としての図示しない搬送監視センサ、また紙幣搬送路２２ｆ、２２ｇ、２２ｈには、紙幣詰まり検知手段としての搬送監視センサ２２２ａ、２２２ｂ、２２２ｃがそれぞれ配設されており、紙幣の詰まりを検出することができるようになっている。
【００１６】
また、紙幣搬送路２２ａ、２２ｂ、２２ｃ、２２ｅ、２２ｆ、２２ｇ、２２ｈの各分岐には、切替ブレードが設けてあり、その切替ブレードを制御することによって紙幣の搬送先を切り替えることができ、鑑別部２３での鑑別結果に応じて紙幣の搬送方向を切り替える。
【００１７】
さらに、分岐２２０ａには分岐路２２１ａの一端部が接続され、分岐２２０ｂには分岐路２２１ｂの一端部が接続され、分岐２２０ｃには分岐路２２１ｃの一端部が接続され、分岐２２０ｄには分岐路２２１ｄの一端部が接続され、また分岐路２２１ａの他端部には紙幣カセット部（Ａ）２５ａが接続され、分岐路２２１ｂの他端部には紙幣カセット部（Ｂ）２５ｂが接続され、分岐路２２１ｃの他端部には紙幣カセット部（Ｃ）２５ｃが接続され、分岐路２２１ｄの他端部には紙幣カセット部（Ｄ）２５ｄが接続されている。
【００１８】
このようにそれぞれの紙幣カセット部２５は紙幣搬送路２２に形成された複数の分岐２２０に、分岐路２２１を介して接続されている。
なお、分岐路２２１ａ〜２２１ｄも紙幣搬送路２２と同様に紙幣を搬送することができるようになっている。また、本実施例では、分岐２２０ｄおよび分岐路２２１ｄを備えた構成としているが、分岐２２０ｄよりも奥に紙幣搬送路が存在しない場合、分岐を設けることなく直接、紙幣カセット部（Ｄ）２５ｄに紙幣搬送路２２を接続するようにしても良い。
【００１９】
鑑別部２３は、紙幣搬送路２２上に配置され、搬送される紙幣の鑑別を行うものである。この鑑別部２３は、光学式ＣＣＤ（Ｃｈａｒｇｅ  Ｃｏｕｐｌｅｄ  Ｄｅｖｉｃｅ）センサを備え、そのＣＣＤセンサにより、搬送される紙幣の表裏両面の画像データ等を収得し、その画像データ等と紙幣鑑別データベースに予め登録されている画像データ等を照合して紙幣の真偽、正損、金種等の鑑別および計数を行う。
また、鑑別部２３は通過する紙幣の間隔や斜行等の搬送異常を検知することができるようになっており、この鑑別部２３により入金処理において偽券または搬送異常と鑑別された異常紙幣を入金リジェクト紙幣という。
【００２０】
一時保留部２４は、顧客により入出金口部２１に投入された紙幣の中で真紙幣と鑑別され、かつ金種が鑑別された紙幣を図示しない集積機構により一時的に貯留（集積）しておくものである。この一時保留部２４は、顧客の操作により入金取引が成立する（入金金額が確認される）まで入金紙幣を巻き込みテープ等でドラムに巻き付け、一時保留する。一方、顧客の操作により入金取引が取り消された場合、貯留した入金紙幣は入出金口部２１に返却する。
【００２１】
紙幣収納庫としての紙幣カセット部２５は、紙幣を集積するもので、内部に配置された図示しないステージが昇降機構により上下動し、集積機構により収納される紙幣はこのステージ上に集積される。また、収納された紙幣は紙幣カセット部２５の上方に設けられた図示しない分離機構で１枚ずつ分離して繰り出すことができる。
【００２２】
この紙幣カセット部２５は、本実施例では、それぞれ同一構造の紙幣カセット部（Ａ）２５ａ、紙幣カセット部（Ｂ）２５ｂ、紙幣カセット部（Ｃ）２５ｃおよび紙幣カセット部（Ｄ）２５ｄの４つで構成されることになる。また、それぞれの紙幣カセット部２５に収納される紙幣は金種毎に設定されており、例えば紙幣カセット部（Ａ）２５ａに万円券、紙幣カセット部（Ｂ）２５ｂに千円券、紙幣カセット部（Ｃ）２５ｃおよび紙幣カセット部（Ｄ）２５ｄに五千円券および二千円券を収納するものとするが、それに限られるものでない。
【００２３】
リジェクト紙幣収納部２６は、出金処理時に紙幣カセット部２５から搬送された紙幣の中で破損の大きい紙幣と鑑別部２３で鑑別された紙幣を集積し、また入金処理時において一時保留部２４から紙幣カセット部２５へ収納するときに、金種が鑑別できない等の異常紙幣と鑑別部２３で鑑別された紙幣を集積する機能を有する収納庫である。
【００２４】
ここで、入金処理および出金処理で使用する紙幣搬送路２２を説明する。
入金処理では、まず入出金口部２１に投入された紙幣を、紙幣搬送路２２ａ、２２ｂ、２２ｃを経由して一時保留部２４へ搬送する。このとき、鑑別部２３で入金リジェクト紙幣と鑑別された紙幣は紙幣搬送路２２ｂにより入出金口部２１へ搬送される。次に、入金金額が確認され、入金取引が成立すると一時保留部２４に集積された紙幣は、紙幣搬送路２２ｃ、２２ｂ、２２ｅ、２２ｆ、２２ｇ、２２ｈを経由して紙幣カセット部（Ａ）２５ａ、紙幣カセット部（Ｂ）２５ｂ、紙幣カセット部（Ｃ）２５ｃまたは紙幣カセット部（Ｄ）２５ｄへ搬送される。このとき、金種が判別できない等の異常紙幣と鑑別部２３で鑑別された紙幣は紙幣搬送路２２ｃ、２２ｂ、２２ｅ、２２ｆ、２２ｇ、２２ｈ、２２ｉを経由してリジェクト紙幣収納部２６へ搬送される。
【００２５】
出金処理では、紙幣カセット部（Ａ）２５ａ、紙幣カセット部（Ｂ）２５ｂ、紙幣カセット部（Ｃ）２５ｃまたは紙幣カセット部（Ｄ）２５ｄに収納された紙幣を、紙幣搬送路２２ｈ、２２ｇ、２２ｆ、２２ｅ、２２ｂを経由して入出金口部２１へ搬送する。このとき、出金に適さない破損紙幣等と鑑別部２３で鑑別された紙幣は紙幣搬送路２２ｂ、２２ｃ、２２ｄを経由してリジェクト紙幣収納部２６へ搬送される。
【００２６】
図１において、記憶部２７はメモリ素子や磁気ディスク等で構成され、鑑別部２３が鑑別や計数した結果や紙幣処理装置１全体を制御するための各種制御プログラム（ソフトウェア）等を記憶する。
制御部２８は、ＣＰＵ（Ｃｅｎｔｒａｌ  Ｐｒｏｃｅｓｓｉｎｇ  Ｕｎｉｔ）等の演算および制御手段で構成され、記憶部２７に格納された各種制御プログラムに基づいて紙幣処理装置１全体の動作を制御する。
【００２７】
また、制御部２８は、タイマ等の計時手段を備え、紙幣搬送路２２、入出金口部２１、一時保留部２４、紙幣カセット部２５に配設されたセンサにより紙幣の搬送状態を監視し、記憶部２７に予め記憶した紙幣の搬送監視時間を超えても紙幣が到達しない場合や通過しない場合に紙幣の詰まりが発生したと判定する。このとき、制御部２８は紙幣の搬送異常を検知したセンサにより、紙幣詰まり（障害）が発生した場所を把握することができるようになっている。
【００２８】
この紙幣詰まりの発生を検出した制御部２８は、自動復旧手段２８１により、入出金処理等を継続して行うため紙幣搬送路２２等に残留した紙幣の除去や紙幣搬送機構の正常動作確認等の紙幣詰まりの発生原因を除去する自動復旧動作を行い、その結果、紙幣搬送路２２等の残留紙幣を除去すること等に成功し、紙幣詰まりの発生原因を除去することができたときは、そのまま入出金処理を継続して行う。
【００２９】
一方、自動復旧動作を行っても残留紙幣等の除去に失敗し、紙幣詰まりの発生原因を除去することができなかった場合、制御部２８は紙幣詰まりが発生した紙幣搬送路２２等の場所に応じて稼動する機能を制限して入出金処理する縮退処理を行い、稼動可能な機能の範囲で入出金処理を行う。
【００３０】
例えば、紙幣搬送路２２ｈにおいて紙幣詰まりが発生し、自動復旧動作を行った結果、紙幣詰まりの発生原因が除去できなかった場合、紙幣カセット部（Ｄ）２５ｄへの紙幣の搬送および紙幣カセット部（Ｄ）２５ｄからの紙幣の搬送は不可能であるが、紙幣カセット部（Ａ）２５ａ、紙幣カセット部（Ｂ）２５ｂ、紙幣カセット部（Ｃ）２５ｃを使用した紙幣の搬送は可能であるため、紙幣カセット部（Ｄ）２５ｄを使用した紙幣の搬送機能を縮退し、紙幣カセット部（Ａ）２５ａ、紙幣カセット部（Ｂ）２５ｂ、紙幣カセット部（Ｃ）２５ｃを使用した紙幣の搬送機能を稼動可能とする。
【００３１】
この場合、紙幣カセット部（Ａ）２５ａ、紙幣カセット部（Ｂ）２５ｂまたは紙幣カセット部（Ｃ）２５ｃから繰り出された紙幣は紙幣搬送路２２ｇ、２２ｆ、２２ｅを通り、鑑別部２３まで搬送され、鑑別部２３で正常な紙幣であると鑑別されると紙幣搬送路２２ｂを通り、入出金口部２１へ搬送される。一方、鑑別部２３で真偽、正損、金種鑑別等で異常な紙幣であると鑑別されると紙幣搬送路２２ｂ、２２ｃ、２２ｄを通り、リジェクト紙幣収納部２６へ搬送される。
【００３２】
したがって、紙幣詰まりの発生原因が除去できていない紙幣搬送路２２ｈを紙幣が通ることがないため、紙幣カセット部（Ａ）２５ａ、紙幣カセット部（Ｂ）２５ｂ、紙幣カセット部（Ｃ）２５ｃを使用した出金処理を可能とすることができる。
【００３３】
また、紙幣搬送路２２ｇにおいて紙幣詰まりが発生し、自動復旧動作を行った結果、紙幣詰まりの発生原因が除去できなかった場合、紙幣カセット部（Ｄ）２５ｄおよび紙幣カセット部（Ｃ）２５ｃへの紙幣の搬送ならびに紙幣カセット部（Ｄ）２５ｄおよび紙幣カセット部（Ｃ）２５ｃからの紙幣の搬送は不可能であるが、紙幣カセット部（Ａ）２５ａ、紙幣カセット部（Ｂ）２５ｂを使用した紙幣の搬送は可能であるため、紙幣カセット部（Ｄ）２５ｄおよび紙幣カセット部（Ｃ）２５ｃを使用した紙幣の搬送機能を縮退し、紙幣カセット部（Ａ）２５ａ、紙幣カセット部（Ｂ）２５ｂを使用した紙幣の搬送機能を稼動可能とする。
【００３４】
この場合、紙幣カセット部（Ａ）２５ａまたは紙幣カセット部（Ｂ）２５ｂから繰り出された紙幣は紙幣搬送路２２ｆ、２２ｅを通り、鑑別部２３まで搬送され、鑑別部２３で正常な紙幣であると鑑別されると紙幣搬送路２２ｂを通り、入出金口部２１へ搬送される。一方、鑑別部２３で真偽、正損、金種鑑別等で異常な紙幣であると鑑別されると紙幣搬送路２２ｂ、２２ｃ、２２ｄを通り、リジェクト紙幣収納部２６へ搬送される。
したがって、紙幣詰まりの発生原因が除去できていない紙幣搬送路２２ｇを紙幣が通ることがないため、紙幣カセット部（Ａ）２５ａ、紙幣カセット部（Ｂ）２５ｂを使用した出金処理を可能とすることができる。
【００３５】
さらに、紙幣搬送路２２ｆにおいて紙幣詰まりが発生し、自動復旧動作を行った結果、紙幣詰まりの発生原因が除去できなかった場合、紙幣カセット部（Ｄ）２５ｄ、紙幣カセット部（Ｃ）２５ｃおよび紙幣カセット部（Ｂ）２５ｂへの紙幣の搬送ならびに紙幣カセット部（Ｄ）２５ｄ、紙幣カセット部（Ｃ）２５ｃおよび紙幣カセット部（Ｂ）２５ｂからの紙幣の搬送は不可能であるが、紙幣カセット部（Ａ）２５ａを使用した紙幣の搬送は可能であるため、紙幣カセット部（Ｄ）２５ｄ、紙幣カセット部（Ｃ）２５ｃおよび紙幣カセット部（Ｂ）２５ｂを使用した紙幣の搬送機能を縮退し、紙幣カセット部（Ａ）２５ａを使用した紙幣の搬送機能を稼動可能とする。
【００３６】
この場合、紙幣カセット部（Ａ）２５ａから繰り出された紙幣は紙幣搬送路２２ｆ、２２ｅを通り、鑑別部２３まで搬送され、鑑別部２３で正常な紙幣であると鑑別されると紙幣搬送路２２ｂを通り、入出金口部２１へ搬送される。一方、鑑別部２３で真偽、正損、金種鑑別等で異常な紙幣であると鑑別されると紙幣搬送路２２ｂ、２２ｃ、２２ｄを通り、リジェクト紙幣収納部２６へ搬送される。
したがって、紙幣詰まりの発生原因が除去できていない紙幣搬送路２２ｆを紙幣が通ることがないため、紙幣カセット部（Ａ）２５ａを使用した出金処理を可能とすることができる。
【００３７】
なお、紙幣カセット部（Ａ）２５ａ、紙幣カセット部（Ｂ）２５ｂ、紙幣カセット部（Ｃ）２５ｃおよび紙幣カセット部（Ｄ）２５ｄに収納される紙幣は、通常金種毎に設定されており、入金処理時においてはすべての紙幣カセット部２５に紙幣が搬送される可能性があるため、紙幣搬送路２２ｆ、２２ｇ、２２ｈのいずれかの機能を縮退した場合、制御部２８は、入金処理のすべての機能を縮退するものとする。
また、制御部２８は、紙幣の搬送機能を縮退した場合、縮退した紙幣搬送路および紙幣カセット部の駆動を停止し、動作を行わないようにする。
【００３８】
このように、制御部２８は、紙幣搬送路２２の分岐間で発生した紙幣詰まりの発生原因を自動復旧手段２８１で除去できない場合、紙幣詰まりが発生した分岐間を通過する入金処理および出金処理の実施を制限するとともに、紙幣詰まりが発生した箇所と入出金口部２１との間の分岐２２０に接続された紙幣カセット部２５からの出金処理の実施を許可する。
【００３９】
上述した構成の作用を図３の第１の実施例における縮退処理を示すフローチャートの図中Ｓで表すステップに従って図１および図２を参照しながら説明する。
まず、紙幣処理装置１の制御部２８は、入金処理または出金処理を行い、その入金処理または出金処理において紙幣搬送路２２上に配設されたセンサにより紙幣の詰まりを検知し、紙幣の詰まりを検知したセンサにより、紙幣詰まりが発生した場所（箇所）を記憶部２７に記憶するものとする。
【００４０】
Ｓ１：紙幣詰まりの発生を検知した制御部２８は、紙幣詰まりの発生原因を除去する自動復旧処理を行う。この自動復旧処理では、入出金処理等を継続して行うため紙幣搬送路２２等に残留した紙幣の除去や紙幣搬送機構等の正常動作の可否確認を行う。
Ｓ２：その結果、自動復旧処理に成功、すなわち紙幣搬送路２２の残留紙幣が除去すること等に成功し、紙幣詰まりの発生原因を除去することができたときは、本縮退処理を終了し、入出金処理を継続して行う。一方、自動復旧処理に失敗、すなわち紙幣搬送路２２の残留紙幣を除去すること等に失敗し、紙幣詰まりの発生原因を除去することができなかったときは、処理をＳ３へ移行する。
【００４１】
なお、制御部２８は、自動復旧処理に失敗した場合、紙幣が残留している箇所や紙幣搬送機構等の正常動作の確認ができなかった箇所を示す障害発生箇所情報を記憶部２７に記憶するものとする。
【００４２】
Ｓ３：自動復旧処理に失敗した制御部２８は、障害発生箇所情報を記憶部２７から読み出し、その障害発生箇所情報が、紙幣カセット部２５（紙幣カセット部（Ａ）２５ａ、紙幣カセット部（Ｂ）２５ｂ、紙幣カセット部（Ｃ）２５ｃまたは紙幣カセット部（Ｄ）２５ｄ）である場合は処理をＳ４へ移行し、入出金口部２１、一時保留部２４または鑑別部２３である場合は処理をＳ５へ移行し、紙幣搬送路２２である場合は処理をＳ６へ移行する。
【００４３】
なお、障害発生箇所情報が、紙幣カセット部２５を表している場合、各紙幣カセット部２５と紙幣搬送路２２との間および各紙幣カセット部２５内で障害が発生していることを示し、入出金口部２１を表している場合、入出金口部２１と紙幣搬送路２２との間および入出金口部２１内で障害が発生していることを示し、一時保留部２４を表している場合、一時保留部２４と紙幣搬送路２２との間および一時保留部２４内で障害が発生していることを示し、鑑別部２３を表している場合、鑑別部２３内の紙幣搬送路２２上で障害が発生していることを示すものとする。
【００４４】
Ｓ４：障害発生箇所情報が紙幣カセット部２５であると判定した制御部２８は、障害発生箇所情報が示す紙幣カセット部（Ａ）２５ａ、紙幣カセット部（Ｂ）２５ｂ、紙幣カセット部（Ｃ）２５ｃおよび紙幣カセット部（Ｄ）２５ｄのいずれか１つまたは２以上の機能を縮退させ、縮退させた紙幣カセット部２５以外の紙幣カセット部２５を使用して入出金処理を行うようにし、紙幣処理装置１を復旧させる。
Ｓ５：障害発生箇所情報が入出金口部２１、一時保留部２４または鑑別部２３であると判定した制御部２８は、入出金処理を行うことができないので紙幣処理装置１を休止状態とし、保守員や係員の介入や遠隔地からの初期化指示を待機するものとする。
【００４５】
Ｓ６：障害発生箇所情報が紙幣搬送路２２であると判定した制御部２８は、さらに障害発生箇所情報が、紙幣搬送路２２ｈである場合は処理をＳ７へ移行し、紙幣搬送路２２ｇである場合は処理をＳ８へ移行し、紙幣搬送路２２ｆである場合は処理をＳ９へ移行し、紙幣搬送路２２ｈ、紙幣搬送路２２ｇ、紙幣搬送路２２ｆ以外である場合は処理をＳ１２へ移行する。
【００４６】
Ｓ７：制御部２８は、紙幣カセット部（Ｄ）２５ｄの機能を縮退させる縮退情報を記憶部２７に記憶させ、処理をＳ１０へ移行する。
Ｓ８：制御部２８は、紙幣カセット部（Ｄ）２５ｄおよび紙幣カセット部（Ｃ）２５ｃの機能を縮退させる縮退情報を記憶部２７に記憶させ、処理をＳ１０へ移行する。
【００４７】
Ｓ９：制御部２８は、紙幣カセット部（Ｄ）２５ｄ、紙幣カセット部（Ｃ）２５ｃおよび紙幣カセット部（Ｂ）２５ｂの機能を縮退させる縮退情報を記憶部２７に記憶させ、処理をＳ１０へ移行する。
Ｓ１０：制御部２８は、記憶部２７に記憶された縮退情報に基づいて紙幣カセット部２５の機能を縮退させ、縮退させた紙幣カセット部２５以外の紙幣カセット部２５を使用して出金処理を行うようにし、紙幣処理装置１を復旧させて本縮退処理を終了する。
【００４８】
Ｓ１１：障害発生箇所情報が紙幣搬送路２２ｈ、紙幣搬送路２２ｇ、紙幣搬送路２２ｆ以外である場合入出金処理を行うことができないため、制御部２８は、紙幣処理装置１を休止状態として本縮退処理を終了し、保守員や係員の介入や遠隔地からの初期化指示を待機するものとする。
このようにして、制御部２８は、入出金処理等を継続して行うために紙幣搬送路２２等に残留した紙幣の除去や紙幣搬送機構等の正常動作の確認ができなかった紙幣搬送路の機能を縮退し、正常に動作できる紙幣搬送路で出金処理を行う。したがって、紙幣処理装置１の稼働率の低下を抑制することができる。
【００４９】
以上説明したように、第１の実施例では、紙幣の搬送において紙幣詰まりが発生した後、当該紙幣詰まりの原因が除去できなかった場合、その紙幣搬送路の機能を縮退し、正常に動作できる紙幣搬送路で出金処理を行うようにしたことにより、紙幣処理装置の稼働率の低下を抑制することができるという効果が得られる。
【実施例２】
【００５０】
第１の実施例では、紙幣詰まり発生後の自動復旧処理において紙幣搬送路等に残留した紙幣の除去や紙幣搬送機構等の正常動作の確認ができなかった紙幣搬送路の機能を縮退し、正常に動作できる紙幣搬送路で出金処理のみを行うようにしたが、第２の実施例では、正常に動作できる紙幣搬送路に応じて入金処理を行うことが可能であると判定した場合、出金処理および入金処理の両処理を行うようにしている。
【００５１】
図４は第２の実施例における紙幣処理装置の制御構成を示すブロック図である。なお、紙幣処理装置の構成は図２に示す第１の実施例における紙幣処理装置の構成と同様なので同一の符号を付してその説明を省略し、また紙幣処理装置の制御構成において上述した第１の実施例と同様の部分は、同一の符号を付してその説明を省略する。
図４において、記憶部２７は設定データ記憶領域２７１を備え、また制御部２８は上位Ｉ／Ｆ（インターフェース）制御手段２８２を備えている。
【００５２】
設定データ記憶領域２７１は、紙幣詰まり発生後の自動復旧処理において紙幣搬送路等に残留した紙幣の除去や紙幣搬送機構等の正常動作の確認ができなかった紙幣搬送路の機能を縮退し、正常に動作できる紙幣搬送路で、出金処理のみを行う出金処理許可設定情報、または入金処理と出金処理の両処理を行う入出金処理許可設定情報を縮退設定情報として記憶する。
【００５３】
上位Ｉ／Ｆ制御手段２８２は、ホストコンピュータ等の上位装置との間で行う通信の制御を行うものである。制御部２８は、上位Ｉ／Ｆ制御手段２８２を介して上位装置から受信した縮退設定指示にしたがって出金処理許可設定情報または入出金処理許可設定情報を縮退設定情報として設定データ記憶領域２７１に記憶させる。なお、縮退設定指示とは、縮退時の動作を規定する指示であり、出金処理のみを行う出金処理許可設定情報、または入金処理と出金処理の両処理を行う入出金処理許可設定情報のいずれかを紙幣処理装置１の記憶部に記憶させて設定することを指示するものである。
【００５４】
ここで、上位Ｉ／Ｆ制御手段２８２に対して縮退設定指示を通知する上位装置のモジュールとしては、保守員の各種設定操作を受け付ける保守ユーティリティアプリケーションソフトウェアや遠隔保守を行うためのリモート保守ソフトウェア等があり、上位装置により出金処理許可設定情報または入出金処理許可設定情報のいずれかが縮退設定情報として紙幣処理装置１に設定される。
次に、縮退設定情報として入出金処理許可設定情報が設定された場合の紙幣処理装置の動作を図２に基づいて説明する。
【００５５】
例えば、紙幣搬送路２２ｆにおいて紙幣詰まりが発生し、自動復旧動作を行った結果、紙幣詰まりの発生原因が除去できなかった場合、紙幣カセット部（Ｄ）２５ｄ、紙幣カセット部（Ｃ）２５ｃおよび紙幣カセット部（Ｂ）２５ｂへの紙幣の搬送ならびに紙幣カセット部（Ｄ）２５ｄ、紙幣カセット部（Ｃ）２５ｃおよび紙幣カセット部（Ｂ）２５ｂからの紙幣の搬送は不可能であるが、紙幣カセット部（Ａ）２５ａを使用した紙幣の搬送は可能であるため、紙幣カセット部（Ｄ）２５ｄ、紙幣カセット部（Ｃ）２５ｃおよび紙幣カセット部（Ｂ）２５ｂを使用した紙幣の搬送機能を縮退し、紙幣カセット部（Ａ）２５ａを使用した出金処理を可能とする。
【００５６】
この場合、入金処理はすべての金種の紙幣（日本国の場合、万円券、五千円券、二千円券、千円券の４金種の紙幣）を入出金口部２１へ投入することができ、それらのすべての紙幣を収納する入金庫として紙幣カセット部（Ａ）２５ａを設定すると、出金処理時に出金対象でない金種の紙幣が紙幣カセット部（Ａ）２５ａから繰り出されることになり、リジェクト紙幣収納部２６が満杯になり易くなるため、入金処理は不可能とする。
したがって、紙幣カセット部（Ａ）２５ａを使用した出金処理のみを可能とする。
【００５７】
また、紙幣搬送路２２ｇにおいて紙幣詰まりが発生し、自動復旧動作を行った結果、紙幣詰まりの発生原因が除去できなかった場合、紙幣カセット部（Ｄ）２５ｄおよび紙幣カセット部（Ｃ）２５ｃへの紙幣の搬送ならびに紙幣カセット部（Ｄ）２５ｄおよび紙幣カセット部（Ｃ）２５ｃからの紙幣の搬送は不可能であるが、紙幣カセット部（Ａ）２５ａ、紙幣カセット部（Ｂ）２５ｂを使用した紙幣の搬送は可能であるため、紙幣カセット部（Ｄ）２５ｄおよび紙幣カセット部（Ｃ）２５ｃを使用した紙幣の搬送機能を縮退し、紙幣カセット部（Ａ）２５ａ、紙幣カセット部（Ｂ）２５ｂを使用した入出金処理を可能とする。
【００５８】
この場合、入金処理においては、紙幣カセット部（Ａ）２５ａを入出金庫、紙幣カセット部（Ｂ）２５ｂを入金庫に設定し、紙幣カセット部（Ａ）２５ａは既に設定されている金種の紙幣（例えば、万円券の紙幣）を収納し、それ以外の金種の紙幣（例えば、五千円券、二千円券、千円券の紙幣）を紙幣カセット部（Ｂ）２５ｂに収納する。
また、出金処理においては、紙幣カセット部（Ａ）２５ａに収納されている金種の紙幣（例えば、万円券の紙幣）の出金処理を行う。
【００５９】
したがって、紙幣カセット部（Ａ）２５ａおよび紙幣カセット部（Ｂ）２５ｂを使用して入金処理を可能とすることができ、紙幣カセット部（Ａ）２５ａを使用して出金処理を可能とすることができる。
なお、紙幣カセット部（Ａ）２５ａを入金庫、紙幣カセット部（Ｂ）２５ｂを入出金庫に設定するようにしても良い。
【００６０】
さらに、紙幣搬送路２２ｈにおいて紙幣詰まりが発生し、自動復旧動作を行った結果、紙幣詰まりの発生原因が除去できなかった場合、紙幣カセット部（Ｄ）２５ｄへの紙幣の搬送および紙幣カセット部（Ｄ）２５ｄからの紙幣の搬送は不可能であるが、紙幣カセット部（Ａ）２５ａ、紙幣カセット部（Ｂ）２５ｂ、紙幣カセット部（Ｃ）２５ｃを使用した紙幣の搬送は可能であるため、紙幣カセット部（Ｄ）２５ｄを使用した紙幣の搬送機能を縮退し、紙幣カセット部（Ａ）２５ａ、紙幣カセット部（Ｂ）２５ｂ、紙幣カセット部（Ｃ）２５ｃを使用した入出金処理を可能とする。
【００６１】
この場合、入金処理においては、紙幣カセット部（Ａ）２５ａおよび紙幣カセット部（Ｂ）２５ｂを入出金庫、紙幣カセット部（Ｃ）２５ｃを入金庫に設定し、紙幣カセット部（Ａ）２５ａおよび紙幣カセット部（Ｂ）２５ｂは既に設定されている金種の紙幣を収納（例えば、万円券を紙幣カセット部（Ａ）２５ａに、千円券の紙幣を紙幣カセット部（Ｂ）２５ｂに収納）し、それ以外の金種の紙幣は（例えば、五千円券、二千円券の紙幣）を紙幣カセット部（Ｃ）２５ｃに収納する。
【００６２】
また、出金処理においては、紙幣カセット部（Ａ）２５ａおよび紙幣カセット部（Ｂ）２５ｂに収納されている金種の紙幣の出金処理（例えば、万円券を紙幣カセット部（Ａ）２５ａから出金、千円券の紙幣を紙幣カセット部（Ｂ）２５ｂから出金する出金処理）を行う。
したがって、紙幣カセット部（Ａ）２５ａ、紙幣カセット部（Ｂ）２５ｂおよび紙幣カセット部（Ｃ）２５ｃを使用して入金処理を可能とすることができ、紙幣カセット部（Ａ）２５ａおよび紙幣カセット部（Ｂ）２５ｂを使用して出金処理を可能とすることができる。
【００６３】
なお、紙幣カセット部（Ａ）２５ａまたは紙幣カセット部（Ｂ）２５ｂのいずれか１つを入金庫、それ以外の紙幣カセット部（Ｃ）２５ｃと、紙幣カセット部（Ａ）２５ａまたは紙幣カセット部（Ｂ）２５ｂのいずれか１つを入出金庫に設定するようにしても良い。
このように、制御部２８は、縮退設定情報として入出金処理許可設定情報が設定されているとき、紙幣搬送路２２ｇまたは紙幣搬送路２２ｈにおいて紙幣詰まりが発生し、自動復旧動作を行った結果、紙幣詰まりの発生原因が除去できなかった場合、ひとつの紙幣カセット部を入金庫に切り替えて入金処理および出金処理の両処理を行うようにする。
【００６４】
すなわち、制御部２８は、紙幣搬送路２２の分岐間で発生した紙幣詰まりの発生原因を自動復旧手段２８１で除去できない場合、紙幣詰まりが発生した分岐間を通過する入金処理および出金処理の実施を制限し、紙幣詰まりが発生した箇所と入出金口部２１との間の分岐２２０に接続された紙幣カセット部２５のうち、一の紙幣カセット部２５からの出金処理の実施を制限するとともにその紙幣カセット部２５への入金処理の実施を許可し、他の紙幣カセット部２５での出金処理および入金処理の実施を許可する。
【００６５】
上述した構成の作用について説明する。
まず、紙幣処理装置の制御部が行う縮退情報設定処理を図５の第２の実施例における縮退情報設定処理を示すフローチャートの図中Ｓで表すステップにしたがって図４を参照しながら説明する。
【００６６】
Ｓ２１：紙幣処理装置１の制御部２８は、上位Ｉ／Ｆ制御手段２８２を介して上位装置から受信した縮退設定指示にしたがって出金処理許可設定情報または入出金処理許可設定情報を縮退設定情報として記憶部２７の設定データ記憶領域２７１に記憶させる。
なお、上位装置からの縮退設定指示は、紙幣処理装置１の電源投入直後等、入出金処理を実行していないときに受信するものとする。
【００６７】
次に、紙幣処理装置の制御部が行う縮退処理を図６の第２の実施例における縮退処理を示すフローチャートの図中Ｓで表すステップに従って図２および図４を参照しながら説明する。
まず、紙幣処理装置１の制御部２８は、入金処理または出金処理を行い、その入金処理または出金処理において、紙幣搬送路２２上に配設されたセンサにより紙幣の詰まりを検知し、紙幣の詰まりを検知したセンサにより、紙幣詰まりが発生した場所（箇所）を記憶部２７に記憶するものとする。
【００６８】
Ｓ１〜Ｓ９、Ｓ１１：図３におけるＳ１〜Ｓ９、Ｓ１１と同様な処理なのでその説明を省略する。なお、Ｓ７〜Ｓ９において縮退情報を記憶部２７に記憶した後は処理をＳ３１へ移行するものとする。
Ｓ３１、Ｓ３２：制御部２８は、記憶部２７の設定データ記憶領域２７１から縮退設定情報を読み出し、読み出した縮退設定情報が、入金処理および出金処理を許可する入出金処理許可設定情報であると判定すると処理をＳ３３へ移行し、出金処理のみを許可する出金処理許可設定情報であると判定すると処理をＳ３５へ移行する。
【００６９】
Ｓ３３：制御部２８は、記憶部２７から縮退情報を読み出し、その縮退情報が紙幣カセット部（Ｄ）２５ｄ、紙幣カセット部（Ｃ）２５ｃおよび紙幣カセット部（Ｂ）２５ｂの機能を縮退させる情報であるか否か、すなわち入金処理の可否を判定する。紙幣カセット部（Ｄ）２５ｄ、紙幣カセット部（Ｃ）２５ｃおよび紙幣カセット部（Ｂ）２５ｂの機能を縮退させる情報でない場合（すなわち、入金処理が可能な場合）、処理をＳ３４へ移行し、一方紙幣カセット部（Ｄ）２５ｄ、紙幣カセット部（Ｃ）２５ｃおよび紙幣カセット部（Ｂ）２５ｂの機能を縮退させる情報である場合（すなわち、入金処理が不可能な場合）、処理をＳ３５へ移行する。
【００７０】
Ｓ３４：制御部２８は、記憶部２７に記憶された縮退情報に基づいて該当する紙幣カセット部の機能を縮退し、縮退していない紙幣カセット部のうちひとつの紙幣カセット部を入金庫に切り替えて入金処理および出金処理の両処理を行うようにし、紙幣処理装置１を復旧させて本縮退処理を終了する。
【００７１】
例えば、紙幣搬送路２２ｇにおいて紙幣詰まりが発生し、紙幣カセット部（Ｄ）２５ｄおよび紙幣カセット部（Ｃ）２５ｃを使用した紙幣の搬送機能を縮退した場合、入金処理においては、紙幣カセット部（Ａ）２５ａを入出金庫、紙幣カセット部（Ｂ）２５ｂを入金庫に設定し、紙幣カセット部（Ａ）２５ａは既に設定されている金種の紙幣（例えば、万円券の紙幣）を収納し、それ以外の金種の紙幣は（例えば、五千円券、二千円券、千円券の紙幣）を紙幣カセット部（Ｂ）２５ｂに収納する。また、出金処理においては、紙幣カセット部（Ａ）２５ａに収納されている金種の紙幣（例えば、万円券の紙幣）の出金処理を行う。
【００７２】
また、紙幣搬送路２２ｈにおいて紙幣詰まりが発生し、紙幣カセット部（Ｄ）２５ｄを使用した紙幣の搬送機能を縮退した場合、入金処理においては、紙幣カセット部（Ａ）２５ａおよび紙幣カセット部（Ｂ）２５ｂを入出金庫、紙幣カセット部（Ｃ）２５ｃを入金庫に設定し、紙幣カセット部（Ａ）２５ａおよび紙幣カセット部（Ｂ）２５ｂは既に設定されている金種の紙幣を収納（例えば、万円券を紙幣カセット部（Ａ）２５ａに、千円券の紙幣を紙幣カセット部（Ｂ）２５ｂに収納）し、それ以外の金種の紙幣は（例えば、五千円券、二千円券の紙幣）を紙幣カセット部（Ｃ）２５ｃに収納する。また、出金処理においては、紙幣カセット部（Ａ）２５ａおよび紙幣カセット部（Ｂ）２５ｂに収納されている金種の紙幣の出金処理（例えば、万円券を紙幣カセット部（Ａ）２５ａから出金、千円券の紙幣を紙幣カセット部（Ｂ）２５ｂから出金する出金処理）を行う。
【００７３】
Ｓ３５：一方、Ｓ３２において出金処理許可設定情報が設定されていると判定された場合やＳ３３において入金処理が不可能と判定された場合、制御部２８は、記憶部２７に記憶された縮退情報に基づいて紙幣カセット部２５の機能を縮退させ、縮退させた紙幣カセット部２５以外の紙幣カセット部２５を使用して出金処理のみを行うようにし、紙幣処理装置１を復旧させて本縮退処理を終了する。
【００７４】
このように、縮退設定情報として入出金処理許可設定情報が設定されているとき、紙幣搬送路２２ｇまたは紙幣搬送路２２ｈにおいて紙幣詰まりが発生し、自動復旧動作を行った結果、紙幣詰まりの発生原因が除去できなかった場合、ひとつの紙幣カセット部を入金庫に切り替えて入金処理および出金処理の両処理を行うようにする。
【００７５】
以上説明したように、第２の実施例では、第１の実施例の効果に加え、紙幣の搬送において紙幣詰まりが発生した後、当該紙幣詰まりの発生原因が除去できなかった場合、その紙幣搬送路の機能を縮退するとともに、ひとつの紙幣カセット部を入金庫に切り替え、正常に動作できる紙幣搬送路で入金処理および出金処理の両処理を行うようにしたことにより、保守員等による紙幣詰まりの発生原因が除去されるまでの間の入出金処理の実行制限を少なくすることができるという効果が得られる。
【符号の説明】
【００７６】
１    紙幣処理装置
２１  入出金口部
２２  搬送部（紙幣搬送路）
２２０  分岐
２２１  分岐路
２３  鑑別部
２４  一時保留部
２５  紙幣カセット部
２５ａ  紙幣カセット部（Ａ）
２５ｂ  紙幣カセット部（Ｂ）
２５ｃ  紙幣カセット部（Ｃ）
２５ｄ  紙幣カセット部（Ｄ）
２６  リジェクト紙幣収納部
２７  記憶部
２７１  設定データ記憶領域
２８  制御部
２８２  上位Ｉ／Ｆ制御手段
【図１】
0005691430.tif 000002
【図２】
0005691430.tif 000003
【図３】
0005691430.tif 000004
【図４】
0005691430.tif 000005
【図５】
0005691430.tif 000006
【図６】
0005691430.tif 000007